(57)【要約】【課題】ディスプレイパネルが凹状または凸状に撓る構造において、ディスプレイパネルを支持するバックカバーがディスプレイパネルの熱膨張に対応して引張又は圧縮されるように外形が変形するバックカバーを提供すること。【解決手段】本発明は、ディスプレイパネルの背面に結合される複数の単位プレートと、各単位プレートを互いに連結し、熱膨張による引張又は圧縮応力に対応するように変形される連結部とを含むバックカバーを提供する。また、本発明は、ディスプレイパネルと、ディスプレイパネルの背面に結合されるバックカバーと、ディスプレイパネルの背面にバックカバーを付着する接着部とを含み、ディスプレイパネルを安定的に支持することができるディスプレイ装置を提供する。【選択図】  図２
2019105840.tif 000002
【特許請求の範囲】
【請求項１】
ディスプレイパネルの背面に所定のパターンで配置される複数の単位プレート；及び
前記単位プレートのうち第１単位プレートに一側が連結され、前記第１単位プレートから離隔して並んで配置された第２単位プレートに他側が連結される連結部；
を含む、バックカバー。
【請求項２】
前記連結部は、
前記第１単位プレートから突出する第１突出部材と、
前記第２単位プレートから前記第１突出部材と対向して突出する第２突出部材と、
前記第１突出部材と第２突出部材とを連結し、前記第１突出部材と第２突出部材との間で一側方向に曲がった曲線形に形成された第１弾性部材と
を含む、請求項１に記載のバックカバー。
【請求項３】
前記連結部は断面が‘Ω’字形である、請求項２に記載のバックカバー。
【請求項４】
前記第１弾性部材は、
前記第１突出部材又は第２突出部材に連結される角度が少なくとも９０°より小さな角度である、
請求項２に記載のバックカバー。
【請求項５】
前記第１突出部材は、
前記第１単位プレートの側面上に前記第１突出部材の突出方向に一体に備えられる補強部材をさらに含む、
請求項２に記載のバックカバー。
【請求項６】
前記第１弾性部材は、
前記第１突出部材又は第２突出部材の幅より小さい幅を有する、
請求項２に記載のバックカバー。
【請求項７】
前記連結部は、
前記第１弾性部材から第１突出部材と第２突出部材との間で他側方向に伸び、曲線形に形成されて前記第２突出部材に連結される第２弾性部材を含む、
請求項２に記載のバックカバー。
【請求項８】
前記単位プレートの背面に選択的に付着される放熱シートをさらに含む、請求項１に記載のバックカバー。
【請求項９】
ディスプレイパネル；
前記ディスプレイパネルの背面に結合される請求項１〜８のいずれか一項に記載のバックカバー；及び
前記ディスプレイパネルとバックカバーを結合させる接着部；
を含む、ディスプレイ装置。
【請求項１０】
前記連結部は、
前記ディスプレイパネルが撓うとき相対的にバックカバーの全長が伸びる場合、前記連結部が圧縮されるにつれて前記第１単位プレートと第２単位プレートとの間の距離が短くなり、
相対的にバックカバーの全長が縮む場合、前記連結部が引っ張られるにつれて前記第１単位プレートと第２単位プレートとの間の距離が長くなる、
請求項９に記載のディスプレイ装置。
【発明の詳細な説明】
【技術分野】
【０００１】
本発明はディスプレイパネルの背面に結合されるバックカバー及びこれを備えるディスプレイ装置に関するものである。
【背景技術】
【０００２】
最近の情報化社会でディスプレイ装置（又は、表示装置（ｄｉｓｐｌａｙ  ｄｅｖｉｃｅ））は視覚情報伝達媒体としてその重要性が一層強調されており、今後主要な位置を占めるためには低消費電力化、薄型化、軽量化、高画質化などの要件を満たさなければならない。
【０００３】
ディスプレイ装置は自ら発光するブラウン管（Ｃａｔｈｏｄｅ  Ｒａｙ  Ｔｕｂｅ；ＣＲＴ）、電界発光素子（Ｅｌｅｃｔｒｏ  Ｌｕｍｉｎｅｓｃｅｎｃｅ；ＥＬ）、発光ダイオード（Ｌｉｇｈｔ  Ｅｍｉｔｔｉｎｇ  Ｄｉｏｄｅ；ＬＥＤ）、真空蛍光表示装置（Ｖａｃｕｕｍ  Ｆｌｕｏｒｅｓｃｅｎｔ  Ｄｉｓｐｌａｙ；ＶＦＤ）、電界放出ディスプレイ（Ｆｉｅｌｄ  Ｅｍｉｓｓｉｏｎ  Ｄｉｓｐｌａｙ；ＦＥＤ）、プラズマディスプレイパネル（Ｐｌａｓｍａ  Ｄｉｓｐｌａｙ  Ｐａｎｅｌ；ＰＤＰ）などの発光型と液晶表示装置（Ｌｉｑｕｉｄ  Ｃｒｙｓｔａｌ  Ｄｉｓｐｌａｙ；ＬＣＤ）のように自ら発光することができない非発光型に区分することができる。
【０００４】
このように、多様なディスプレイのうち液晶表示装置は液晶の光学的異方性を用いてイメージを表現する装置で、既存のブラウン管に比べて視認性に優れ、平均消費電力も同じ画面サイズのブラウン管に比べて低いことからディスプレイ装置として脚光を浴びている。
【０００５】
このような液晶表示装置は、液晶パネルの下部に光源を設け、液晶に電場を印加して液晶の配列を制御することによって光源から発生した光の透過率を調節する方式で画像を具現し、また有機発光表示装置は自ら発光する蛍光性有機化合物に電流を印加する方式で画像を具現する表示装置で、スマートフォン、タブレットＰＣなどの多様な電子装備に適用される。
【０００６】
しかし、このような表示装置としては近年曲面形に曲がったパネルが採用されており、これに対応するためにディスプレイパネルの背面にバックカバーが備えられるが、近年のトレンドである高画質、薄型化、スリムベゼルを追い求める過程で発熱による熱膨張によってディスプレイパネルが破損する問題点が指摘されている。
【発明の概要】
【発明が解決しようとする課題】
【０００７】
本発明はこのような問題点を解決するためのものであり、より詳細にはディスプレイパネルが凹状または凸状に撓る構造において、このようなディスプレイパネルを支持するバックカバーがディスプレイパネルの熱膨張に対応して引張又は圧縮されるように外形が変形するバックカバーを提供することを目的とする。
【０００８】
また、このようなバックカバーを適用したディスプレイ装置においてディスプレイパネルの熱膨張に対応してバックカバーがこれを安定的に支持することができるディスプレイ装置を提供することを他の目的とする。
【課題を解決するための手段】
【０００９】
このような課題を解決するために、本発明は、ディスプレイパネルの背面に結合される複数の単位プレートと、各単位プレートを互いに連結し、熱膨張による引張又は圧縮応力に対応するように変形される連結部とを含むバックカバーを提供する。
【００１０】
また、本発明は、ディスプレイパネルと、ディスプレイパネルの背面に結合されるバックカバーと、ディスプレイパネルの背面にバックカバーを付着する接着部とを含み、ディスプレイパネルを安定的に支持することができるディスプレイ装置を提供する。
【発明の効果】
【００１１】
本発明のディスプレイ装置によれば、以下に示す効果を提供できる。
【００１２】
第一に、ディスプレイパネルの背面で単位プレートを連結部が弾力的に連結するとともに熱膨張に対応して変形されるので、ディスプレイパネルを安定的に支持することができる。
【００１３】
第二に、ディスプレイパネルが凹状または凸状に撓う場合にもバックカバーの全長が弾力的に可変するので、ディスプレイパネルのベゼルを充分にスリムに製作することができる。
【００１４】
第三に、放熱シートを追加的に備えてディスプレイパネルの熱膨張を低減させることができる。
【図面の簡単な説明】
【００１５】
【図１】本発明の第１実施例によるバックカバーを示す平面図である。
【図２】図１に示したバックカバーの連結部を部分的に拡大して示す部分拡大図である。
【図３】図２に示した連結部の他の実施例を示す参照図である。
【図４】図２に示した連結部の他の実施例を示す別の参照図である。
【図５】図２に示した連結部の他の実施例を示す更に別の参照図である。
【図６】本発明の第２実施例によるバックカバーを示す平面図である。
【図７】本発明の実施例によるバックカバーが熱膨張によって変形した状態を従来技術と比較して示す参照図である。
【図８】本発明の実施例によるバックカバーにおいて連結部の個数によって剛性が増加することを示す参照図である。
【図９】本発明のバックカバーを備えたディスプレイ装置を概略的に示す参照図である。
【発明を実施するための形態】
【００１６】
以下、本発明の好適な実施例を、添付図面に基づき、当該分野の通常の知識を有する者が容易に実施することができるように説明する。添付図面において構成に表記された図面符号は他の図面でも同じ構成を表記するときにできるだけ同じ図面符号を使っていることに留意しなければならない。また、本発明の説明において、関連の公知の機能又は構成についての具体的な説明が本発明の要旨を不必要にあいまいにすることができると判断される場合にはその詳細な説明を省略する。そして、図面に提示されたある特徴は説明の容易性のために拡大又は縮小又は単純化したものであり、図面及びその構成要素が必ずしも適切な比率で示されてはいない。しかし、当業者であればこのような詳細事項を易しく理解することができるであろう。
【００１７】
まず、本発明によるディスプレイ装置において、ディスプレイパネルは可撓性（ｆｌｅｘｉｂｉｌｉｔｙ）を有するフレキシブルディスプレイパネル（図９参照、２１０）で、少なくとも一つ以上の方向に撓うとか曲がることができる。また、設定の曲率で撓うガラス基板が適用されることもできる。
【００１８】
このようなディスプレイパネル２１０は、薄膜トランジスタアレイ基板に適用される場合、画素アレイ部、封止層（ｅｎｃａｐｓｕｌａｔｉｏｎ  ｌａｙｅｒ）及びパッド部を含む。前記画素アレイ部は、ゲートラインとデータラインを含む画素駆動ラインによって定義される画素領域に設けられ、画素駆動ラインに供給される信号によって映像を表示する有機発光素子を有する複数の画素を含む。そして、封止層は各画素への水分浸透を防止するためのもので、画素アレイ部をカバーするように構成される。フレキシブル基板の縦側非表示領域には、ゲートラインにゲート（又はスキャン）信号を供給するためのゲート駆動内装回路（図示せず）が設けられている。ゲート駆動内装回路は各ゲートラインに接続されるように各画素の薄膜トランジスタ製造工程と同時に形成される。
【００１９】
また、ディスプレイパネル２１０がフレキシブル有機発光ディスプレイパネルの場合、フレキシブルディスプレイパネル２１０は上面に付着された上部偏光フィルムを含む。ただ、上部偏光フィルムはフレキシブルディスプレイパネル２１０の柔軟性のために省略可能である。そして、フレキシブル基板の後面には非常に薄い金属プレートが付着されることもでき、金属プレートはインバー（ｉｎｖａｒ）素材からなってもよい。
【００２０】
また、ディスプレイ装置２００は使用者のタッチを用いる使用者インターフェースのためにタッチスクリーン（図示せず）をさらに含んでなることができ、タッチスクリーンはフレキシブルディスプレイパネル２１０上に付着されるとかインセルタッチ（ｉｎ−ｃｅｌｌ  ｔｏｕｃｈ）方式で画素アレイ部の形成工程と同時にフレキシブルディスプレイパネル２１０に内蔵され、またはパターニング工程によって設けられることもできる。
【００２１】
パッド部はフレキシブルディスプレイパネル２１０の一側縁部に設けられ、画素アレイ部に設けられた画素駆動ラインに個別的に連結される。このようなパッド部はコントローラの内部に収納されたパネル駆動回路部と連結される。パッド部はフレキシブルディスプレイパネル２１０の表示領域の外側でパネル駆動回路部を連結する。
【００２２】
図１は本発明の第１実施例によるバックカバーを示す平面図であり、図２は図１に示したバックカバーの連結部を部分的に拡大して示す部分拡大図である。
【００２３】
図１及び図２を参照すると、バックカバー１００は、複数の単位プレート１１０と、単位プレート１１０と他の隣接した単位プレートを連結する連結部１２０とを含む。
【００２４】
まず、単位プレート１１０はアルミニウム素材からなる薄型の板材であり、所定のパターンでディスプレイパネル２１０の背面に取り付けられてディスプレイパネル２１０を支持する機能を提供する。また、単位プレート１１０はディスプレイパネル２１０で発生する熱を吸収して外部に伝達する放熱機能を有することができる。
【００２５】
連結部１２０は単位プレート１１０が離隔空間を有するパターンで配置されたものを互いに連結することで、各単位プレートを一つのディスプレイパネル２１０の支持手段となるように連結する。
【００２６】
単位プレート１１０のいずれか一つである第１単位プレート１１１と、第１単位プレート１１１に隣り合い、離隔空間を有するように並んで配置された他の一つの第２単位プレート１１２との間の離隔空間に少なくとも一つ以上の連結部１２０が配置される。もちろん、第１単位プレート１１１、第２単位プレート１１２及び連結部１２０は単一母材から連結部１２０の周辺の離隔空間をプレス加工で切断した一体型に製作される。また、連結部１２０は別個の他の素材又は構成から製作されて単位プレート１１０と結合される構造を有することもできる。
【００２７】
図２に示したように、連結部１２０は、第１単位プレート１１１に連結された第１突出部材１２１と、第２単位プレート１１２に連結された第２突出部材１２２と、第１突出部材１２１と第２突出部材１２２を連結する第１弾性部材１２３とを含む。ここで、第１突出部材１２１と第２突出部材１２２は‘Ｕ’字形の第１弾性部材１２３の残りの部分に相当し、単位プレート１１０から突出し、断面が略‘Ｌ’字形を有する。
【００２８】
第１突出部材１２１と第２突出部材１２２は互いに向き合う位置に配置される。すなわち、水平方向に、つまり第１単位プレート１１１と第２単位プレート１１２が互いに向き合う方向である第１方向Ｄ１に沿って引張又は圧縮応力が発生する場合、力が最も安定的に伝達されることができるから、第１突出部材１２１と第２突出部材１２２は互いに向き合う位置に配置される。もちろん、第１突出部材１２１と第２突出部材１２２は互いに向き合う位置から外れた位置にも配置されることができる。
【００２９】
第１弾性部材１２３は第１突出部材１２１と第２突出部材１２２の間の一側に断面が‘Ω’形を有するように曲がった曲線形に形成される。また、単位プレート１１０の間で発生する応力の大きさが増加する場合、第１弾性部材１２３の幅をもっと厚く設計して変形応力に対応することができる。
【００３０】
ここで、第１突出部材１２１と第１弾性部材１２３が成す角度θは少なくとも９０°未満となることが好ましい。これは、角度θが９０°以上となるものに比べて引張又は圧縮応力に対応し易い効果がある。
【００３１】
図３は図２に示した連結部の他の実施例を示す参照図である。
【００３２】
図３の連結部を参照すると、図２の連結部に比べ、第１突出部材１２１と第２突出部材１２２がそれぞれ第１単位プレート１１１と第２単位プレート１１２に連結される部分の領域が大きく変化したことが分かる。
【００３３】
第１突出部材１２１と第２突出部材１２２に加わる応力の大きさがさらに大きくなることに備え、各突出部材と単位プレートの間には補強部材１２５が一体に備えられる。補強部材１２５は、突出部材が単位プレートから突出し始める部分の領域を拡張させることにより、より大きな応力に対応することができ、その上、塑性変形によって連結部１２０が破損することを防止することができる。もちろん、このように補強部材１２５を備える実施例においても、各突出部材１２１と第１弾性部材１２３が成す角度は少なくとも９０°未満となることが好ましい。
【００３４】
図４は図２に示した連結部のさらに他の実施例を示す参照図である。以下で前述した参照符号と同一参照符号は同一構成要素を示す。
【００３５】
図４を参照すると、連結部１２０は、第１突出部材１２１と、第２突出部材１２２と、第１弾性部材１２３１とを含む。
【００３６】
ここで、連結部１２０は第１突出部材１２１に第１弾性部材１２３１が連結される角度は９０°となる。このような実施例は、図３に示した実施例より応力が大きな場合、又は熱膨張による変形幅が少ない場合に適用することができる。
【００３７】
このように連結部１２０が略‘Ｕ’字形の断面を有すれば、図３に示した実施例に比べて引張又は圧縮応力に対応する幅は小さくなるが、各突出部材１２１、１２２と第１弾性部材１２３１が連結される部分の長さを増加させることによって熱膨張による変形幅を増加させることもできる。また、反対に各突出部材１２１、１２２と連結される第１弾性部材１２３１の長さを最小化すれば変形幅を最小化することができるので、発熱状態が設定範囲に及ばない場合であれば変形幅は小さい反面、ディスプレイパネル２１０を支持する剛性は増大させることができる効果もある。
【００３８】
図５は図２に示した連結部のさらに他の実施例を示す参照図である。
【００３９】
図５を参照すると、連結部１２０１は、第１突出部材１２１と、第２突出部材１２２と、第１弾性部材１２３２と、第２弾性部材１２４とを含む。
【００４０】
まず、第１突出部材１２１は第１単位プレート１１１から突出し、第２突出部材１２２との間で一側方向に折り曲げられる。そして、第１突出部材１２１の端部は曲線形に形成された第１弾性部材１２３２と連結される。第１弾性部材１２３２は略‘９’字形に形成され、向き合う他側に配置された第２弾性部材１２４と連結される。第２弾性部材１２４は略‘６’字形に第１弾性部材１２３２と対称状となるように配置される。そして、第２弾性部材１２４は第２単位プレート１１２から突出した第２突出部材１２２と連結されて単一連結部１２０１を構成する。
【００４１】
このように、連結部１２０１が長くなれば、第１単位プレート１１１と第２単位プレート１１２間の離隔空間がもっと大きく増減することに対応し易い。したがって、発熱が激しいディスプレイパネルに適用することができる。
【００４２】
また、第１突出部材１２１、第２突出部材１２２、第１弾性部材１２３２及び第２弾性部材１２４のうち少なくとも一つ又は複数の断面積又は幅を増減することにより、連結部１２０１が熱膨張に対応する変形幅を調節することができる。
【００４３】
図６は本発明の第２実施例によるバックカバーを示す平面図である。
【００４４】
図６を参照すると、本発明の第２実施例によるバックカバー１０１は複数の単位プレートが互いに異なるサイズに構成される。
【００４５】
例えば、第１単位プレート１１１と右側に隣り合う第２単位プレート１１２はサイズが同一であるが、第１単位プレート１１１の下側に連結される第３単位プレート１１３は幅が小さく構成され、第２単位プレート１１２の下側に連結される第４単位プレート１１４は幅が大きく構成される。言い換えれば、第１単位プレート１１１と第２単位プレート１１２間の第１離隔空間１１５は第３単位プレート１１３と第４単位プレート１１４間の第２離隔空間１１６と互いに一直線上に配置されない。これは、第１単位プレート１１１と第２単位プレート１１２間の連結部１２０の変形が第３単位プレート１１３と第４単位プレート１１４間の連結部１２０の変形と同一列で成されないことを意味する。したがって、各単位プレートが撓う角度又は時点が異なり、よって図１のように同一の行及び列に離隔空間が配置された第１実施例に比べて垂れ剛性を補強することができる効果がある。また、バックカバー１０１において、各単位プレートが横方向又は縦方向に変形可能な離隔空間の個数を同一にし、離隔空間で隣接して配置される全ての単位プレートの一部に連結部１２０を連結すれば、ディスプレイパネルの熱膨張にもっと効果的に対応するとともに垂れに対する剛性を増大させることができる。すなわち、図６のように、バックカバーは横方向に４個の離隔空間が形成され、縦方向に２個の離隔空間が形成され、連結部１２０を介して各単位プレートに伝達される引張又は圧縮応力が均一になるように誘導することができる。
【００４６】
図７は本発明の実施例によるバックカバーが熱膨張によって加熱されながら変形される状態を従来技術と比較して示す参照図である。
【００４７】
図７を参照すると、図７（ａ）は本発明の実施例によるバックカバーが熱膨張によって加熱されながら変形又は移動した状態を示し、図７（ｂ）は従来の波模様を中心部に備えるバックカバーが熱膨張によって加熱されながら変形又は移動した状態を示す。図７（ａ）及び図７（ｂ）は同じ温度条件（約６０°）の下での熱膨張による変形を示す。
【００４８】
図７（ａ）を見ると、バックカバーの表面が同一又は類似の色で表現されていることから変形量又は移動量が小さいことを確認することができる。また、ｚ軸方向に高さ変化が肉眼で確認できないことを確認することができる。数字上ではｚ軸方向に約０．０００７９０９６ｍｍだけ下側方向に変形された。
【００４９】
図７（ｂ）を見ると、バックカバーの表面の両端部と中心部の色が明確な違いを示すことから、肉眼でも相当な変形が進んだことを確認することができる。また、ｚ軸方向への高さ変化も確認することができる。数字上ではｚ軸方向に約６．６８２４ｍｍだけ下側方向に変形された。
【００５０】
したがって、本発明のバックカバーはディスプレイパネルが熱膨張によって伸びながら熱膨張に対応して圧縮変形されるので、ディスプレイパネルを堅固に支持することができ、またｚ軸方向への移動量がほとんどないので、ディスプレイパネルが破損しないように支持することができる効果がある。
【００５１】
図８は本発明の実施例によるバックカバーにおいて連結部の個数によって剛性が増加することを示す参照図である。
【００５２】
図８を参照すると、図８（ａ）は一対の単位プレートの間に３個の連結部を備えた例を示し、図８（ｂ）は４個の連結部を、図８（ｃ）は５個の連結部を備えた例を示す。
【００５３】
図８（ａ）、図８（ｂ）及び図８（ｃ）は全て同じ条件の下で試験し、左側に配置された第１単位プレートを固定させ、右側の第２単位プレートの端部を１Ｎの力で引張ったときに伸びる引張量で取扱性を判断することができる。
【００５４】
まず、図８（ａ）は３個の連結部を備えた条件の下で引張試験によって伸びた長さは０．０２４６３５ｍｍを示す。残りの二つの場合に比べ、伸びた長さが最も長かった。
【００５５】
次に、図８（ｂ）は４個の連結部を備えた条件の下で引張試験によって伸びた長さは０．０１８０２ｍｍを示す。また、図８（ｃ）は５個の連結部を備えた条件の下で引張試験によって伸びた長さは０．０１０１４６ｍｍを示す。
【００５６】
備えられた連結部の個数が減少するほど伸びた長さが増加したことが分かる。したがって、連結部の個数が減少するほど同じ応力によって伸びた長さが長いから、ディスプレイパネルの熱膨張に対応し易いが、ディスプレイパネルを支持する剛性が弱くなるため、これに基づいて取扱性を考慮した連結部の個数の選定が必要である。
【００５７】
図９は本発明のバックカバーを備えたディスプレイ装置を概略的に示す参照図である。
【００５８】
図９を参照すると、本発明のバックカバーを備えたディスプレイ装置２００は、ディスプレイパネル２１０と、バックカバー１００と、接着部２２０とを含む。
【００５９】
ディスプレイパネル２１０はベンディング可能なＯＬＥＤ又はＬＥＤパネルを適用することができる。
【００６０】
ディスプレイパネル２１０の背面にはバックカバー１００が結合される。ここで、接着部２２０はディスプレイパネル２１０とバックカバー１００を付着させる。接着部２２０はバックカバー１００の外周縁部に配置された単位プレート１１０に配置される。すなわち、ディスプレイパネル２１０の背面の外周縁領域に対応して接着部２２０がバックカバー１００に付着される。これは、ディスプレイパネル２１０とバックカバー１００が結合された状態で撓っても少なくとも角部でディスプレイパネル２１０とバックカバー１００の間でスリップが発生しないようにするためである。これは、ディスプレイパネル２１０とバックカバー１００のベンディング過程でスリップが発生しないようにするとともに付加的にベゼル領域が増加することを防止することができる効果がある。もちろん、バックカバー１００の中央領域でも部分的に接着部によってディスプレイパネルと付着されることもできる。
【００６１】
また、バックカバー１００の各単位プレート１１０の背面には放熱シート２３０が備えられる。放熱シート２３０はアルミニウム素材のバックカバー１００が吸収したディスプレイパネル２１０の熱を外部に発散することによって放熱を行うようになる。したがって、放熱によってバックカバー１００の熱膨張による変形を減少させることができ、根本的にディスプレイパネル２１０の寿命を伸ばすことができる効果がある。
【００６２】
バックカバー１００は前述した第１実施例又は第２実施例に適用されたバックカバーを適用することができる。したがって、ディスプレイパネル２１０が撓って相対的にバックカバー１００の全長が伸びる場合、前記連結部１２０が圧縮されて第１単位プレート１１１と第２単位プレート１１２間の距離が短くなり、相対的にバックカバー１００の全長が縮まる場合、連結部１２０が伸びて第１単位プレート１１１と第２単位プレート１１２間の距離が大きくなるように変形する。
【００６３】
これにより、バックカバー１００はディスプレイパネル２１０のベンディング過程で背面を支持するとともに異常変形によるディスプレイパネル２１０の破損を防止することができ、スリムベゼル又はベゼルレスに対応するようにベゼルを減少させることができる効果がある。
【００６４】
以上で本発明の技術的思想を例示するために具体的な実施例を図面に基づいて説明したが、本発明は前記のような具体的な実施例の構成及び作用効果にのみ限られず、いろいろの変形例が本発明の範囲を逸脱しない範疇内で実施可能である。よって、そのような変形例も本発明の範疇内に属するものと見なさなければならなく、本発明の真正な技術的保護範囲は後述する特許請求範囲の技術的思想によって決定されなければならないであろう。
【符号の説明】
【００６５】
１００、１０１    バックカバー
１１０    単位プレート
１２０    連結部
２００    ディスプレイ装置
２１０    ディスプレイパネル
２２０    接着部
２３０    放熱シート
【図１】
2019105840.tif 000003
【図２】
2019105840.tif 000004
【図３】
2019105840.tif 000005
【図４】
2019105840.tif 000006
【図５】
2019105840.tif 000007
【図６】
2019105840.tif 000008
【図７】
2019105840.tif 000009
【図８】
2019105840.tif 000010
【図９】
2019105840.tif 000011